(57)【要約】【課題】直接波のみでは、十分な受信感度が得られない場合でも、無線通信を用いた情報処理を効率よく行う。【解決手段】時刻情報を含む測地信号を送信する位置情報衛星４０１からの複数の信号を受信するＲＦ手段１０３と、前記ＲＦ手段１０３で受信した複数の受信信号を１つの合成信号に合成して復調するする合成復調手段１０４と、前記合成信号から時刻情報を抽出する時刻情報抽出手段１１６とを備え、ＧＰＳ時計まで複数の経路で伝わる複数の信号を受信し、複数受信した信号の遅延時間を同期させて信号を合成し、合成された受信信号から時刻情報を得る。【選択図】  図１
2011226867.tif 000002
【特許請求の範囲】
【請求項１】
時刻情報を含む測地信号を送信する位置情報衛星からの複数の信号を受信するＲＦ手段と、
前記ＲＦ手段で受信した複数の受信信号を１つの合成信号に合成して復調するする合成復調手段と、
前記合成信号から時刻情報を抽出する時刻情報抽出手段と、
を備えたことを特徴とする電波時計。
【請求項２】
前記位置情報衛星からの複数の信号は、前記位置情報衛星から直接受信される直接波と、前記直接波が反射された反射波であることを特徴とする請求項１記載の電波時計。
【請求項３】
前記合成復調手段は、前記複数の受信手段により受信した複数の受信信号を各々異なる時間で遅延させて１のタイミングで出力する遅延手段と、前記遅延手段の出力を合成して前記合成信号を出力する合成手段を有することを特徴とする請求項１記載の電波時計。
【請求項４】
前記複数の受信手段は、逆拡散回路であることを特徴とする請求項１記載の電波時計。
【請求項５】
時刻情報を含む測地信号を送信する位置情報衛星からの複数の信号を受信し、
前記複数の受信手段により受信した複数の受信信号を１つの合成信号に合成して復調し、
前記合成信号から時刻情報を抽出することを特徴とする電波時計の受信方法。
【発明の詳細な説明】
【技術分野】
【０００１】
本発明は、位置情報衛星などの衛星からの測地信号に含まれる時刻情報を基に、内部時計の時刻を修正して表示する時計に関する。
【背景技術】
【０００２】
位置情報衛星の主たる目的は、複数の位置情報衛星の位置とそれらの位置情報衛星からの測地信号の遅延時間により、受信点の位置を求めることである。この様な位置情報システムとしてＧＰＳ（Ｇｒｏｂａｌ  Ｐｏｓｉｔｉｏｎｉｎｇ  Ｓｙｓｔｅｍ）がよく知られている。ＧＰＳで使用される位置情報衛星には、原子時計などの極めて精度の高い時計が搭載されており、位置情報衛星からの電波には、その時刻情報が含まれている。そこで、位置情報衛星からの電波を受信して、その中に含まれる時刻情報を基に内部時計の時刻を修正して、精度の高い時刻を表示する電波時計（以下、ＧＰＳ時計）が多数開示されている。（例えば特許文献１参照）
【０００３】
しかし、時計は建物内など電波が届き難く、電波の電界強度が比較的弱い場所に設置されることも多く、１回の受信では必ずしも充分ではない場合もある。そこで、位置情報衛星からの電波を間欠的に複数回受信して、得られたデータを基に内部時計の時刻を修正して表示する時計も開示されている。（例えば特許文献２参照）
【０００４】
このような従来のＧＰＳ時計について、図８を基に説明する。
図８における従来のＧＰＳ時計では、位置情報衛星からの電波をアンテナ８０２により高周波信号に変換する。ＲＦ手段８０３では、局部発振とのミキシングにより周波数をダウンコンバージョンする。組合せ復調手段８０４では、サーチする周波数毎に、位置情報衛星からの繰り返される電波をサーチする相関器の段数を増やして位置情報衛星毎に捕捉するとともに、トラッキングしてＣＡコードの１ｍｓの各サイクルに重畳している相関データを抽出する。つまり、周波数と衛星の組合せ毎にサーチする。整合演算手段８０５では、ＣＡコードの１サイクル１ｍｓ毎の相関データのビットの境界を抽出して、航法メッセージデータの各ビットを構成する２０ｍｓ分の相関データを集約するとともに、繰り返されるサブフレームから受信して抽出した航法メッセージデータに不整合がないことを確認することにより受信データの信頼度を確保しつつ、航法メッセージデータから時刻情報に演算する。ＲＴＣ手段８０６では、内部基準クロックを分周してローカル時刻を生成するとともに、整合演算手段８０５からの時刻情報によりローカル時刻を修正する。時刻表示手段８０７では、修正されたローカル時刻を表示するようにする。
【０００５】
しかし、このような従来のＧＰＳ時計では、位置情報衛星からの電波が弱い場合には、サーチの感度を高くするために相関器の段数を長くしていて、回路規模が大きくなると言う課題があった。さらに、サーチの感度を高くするために相関器を長くすることにより、１つの周波数で相関を得るための時間が長くなるばかりでなく、捕捉できる周波数の範囲が狭くなってしまうためにサーチする周波数の数が多くなることによる相乗効果で、サーチ時間が著しく長くなり、消費電力も著しく大きくなるという課題があった。また、位置情報衛星をサーチする時間を短くするために複数の位置情報衛星を同時にサーチする場合には、サーチのための相関器を同時にサーチする衛星の数だけ設けていたために、回路規模が大きいと言う課題があった。
【０００６】
また、このような従来のＧＰＳ時計では、位置情報衛星からの電波が極めて弱い場合には、連続するサブフレームの受信データが整合しない場合や、整合した場合でも正しい値でないことがあり、正常に時刻情報を得られないという課題があった。
【０００７】
また、ＧＰＳ時計が受信する電波は、直接波の他に反射波など複数の電波が届くが、従来のＧＰＳ時計では、高い時刻情報の精度を考慮して、低い高度の位置情報衛星から届く電波や、直接届く電波よりも反射などにより遅延して届く電波を除去していたため、電波の弱い場所で感度が足りないという課題があった。
【先行技術文献】
【特許文献】
【０００８】
【特許文献１】特開平１０−８２８７５号公報
【特許文献２】特開２００７−２６３５９５号公報
【発明の概要】
【発明が解決しようとする課題】
【０００９】
そこで本発明では、以上に示したＧＰＳ時計のこれらの課題を解決し、建物の奥など極めて電波が弱い場所でも、比較的簡単な構成かつ高速かつ低消費電力で、安定して時刻情報を取得して正しい時刻を表示することのできるＧＰＳ時計を実現することを目的とする。
【課題を解決するための手段】
【００１０】
請求項１の発明では、時刻情報を含む測地信号を送信する位置情報衛星からの複数の信号を受信するＲＦ手段と、前記ＲＦ手段で受信した複数の受信信号を１つの合成信号に合成して復調するする合成復調手段と、前記合成信号から時刻情報を抽出する時刻情報抽出手段とを備えたことを特徴とする電波時計を提供する。
【００１１】
請求項２の発明では、前記位置情報衛星からの複数の信号は、前記位置情報衛星から直接受信される直接波と、前記直接波が反射された反射波であることを特徴とする請求項１記載の電波時計を提供する。
【００１２】
請求項３の発明では、前記合成復調手段は、前記複数の受信手段により受信した複数の受信信号を各々異なる時間で遅延させて１のタイミングで出力する遅延手段と、前記遅延手段の出力を合成して前記合成信号を出力する合成手段を有することを特徴とする請求項１記載の電波時計を提供する。
【００１３】
請求項４の発明では、前記複数の受信手段は、逆拡散回路であることを特徴とする請求項１記載の電波時計を提供する。
【００１４】
請求項５の発明では、時刻情報を含む測地信号を送信する位置情報衛星からの複数の信号を受信し、前記複数の受信手段により受信した複数の受信信号を１つの合成信号に合成して復調し、前記合成信号から時刻情報を抽出することを特徴とする電波時計の受信方法を提供する。
【発明の効果】
【００１５】
本発明によるＧＰＳ時計では、位置情報衛星からの電波が微弱な場合でも、高感度でサーチ及びトラッキング及びデータ受信ができるため、例えば屋内の窓から離れた場所でも安定して航法メッセージデータに含まれる時刻情報を受信して、常に正確な時刻を表示することができる。
【図面の簡単な説明】
【００１６】
【図１】本発明に係るＧＰＳ時計の実施例を示すブロック図である。
【図２】本発明に係る時刻表示手段の実施例を示す外観図である。
【図３】本発明に係るＧＰＳ時計の実施例を示す工程フロー図である。
【図４】本発明に係る反射波の例を示す概略図である。
【図５】本発明に係る受信信号の遅延の実施例を示すタイミング図である。
【図６】本発明に係るＧＰＳ時計の詳細を示すブロック図である。
【図７】本発明に係る受信信号の合成の例を示す概念図である。
【図８】従来のＧＰＳ時計のブロック構成図である。
【発明を実施するための形態】
【００１７】
（１）実施形態の概要
ＧＰＳ時計（図１）において、アンテナ１０２は、位置情報衛星からの直接波および反射波のギガヘルツ帯の電波を受信し、高周波信号１１１に変換し、ＲＦ手段１０３に出力する。
【００１８】
ＲＦ手段１０３は、アンテナ１０２からの複数の高周波信号１１１を複数の低周波信号１１２にダウンコンバージョンする。合成復調手段１０４では、ＲＦ手段１０３からの複数の低周波信号１１２を合成して復調し、相関データ１１３として出力する。時刻情報抽出手段１１６は、合成演算手段１０５、ＲＴＣ手段１０６により、相関データ１１３から時刻情報を抽出し、時刻表示手段１０７にローカル時刻１１５を表示する。
【００１９】
（２）実施形態の詳細
図１は、本発明によるＧＰＳ時計全体１０１のブロック構成の好適な一例を示したブロック図である。これより、図１を基にＧＰＳ時計を構成する各手段について、詳細に説明する。
図１において、アンテナ１０２は、位置情報衛星からのギガヘルツ帯の電波を高周波信号１１１に変換し、ＲＦ手段１０３に出力する。
【００２０】
ＲＦ手段１０３は、アンテナ１０２からの高周波信号１１１を合成復調手段１０４で処理しやすい低周波信号１１２にダウンコンバージョンする。このため、ＲＦ手段１０３では、局部発振との積により生じる和と差の周波数成分からフィルタにより差の成分を抽出することにより周波数のダウンコンバージョンを行うようにした。局部発振の周波数は精度が高いほど位置情報衛星を捕捉しやすいため、温度補償型水晶発振器（ＴＣＸＯ）の発振する周波数を基にＰＬＬを用いて発生するようにした。なお、ＲＦ手段１０３では、必要に応じてローノイズなアンプを挿入して増幅するようにしても良い。
【００２１】
合成復調手段１０４では、ＲＦ手段１０３からの低周波信号１１２を復調する。このため、合成復調手段１０４では、搬送波レプリカを用いて搬送波を除去し、相関器によりＣＡ符号を除去して、信号の強さを示す相関強度及びＧＰＳ航法メッセージデータを含む相関データを得る。
【００２２】
合成復調手段１０４が出力する相関データ１１３は、１０２３チップの相関により得られる多値の値のため、信号の他にノイズが混ざったものである。ノイズに比して信号が弱い場合には、単に相関が正か負かで受信ビットの値を決定すると、データの信頼性が低くなってしまう。この課題を解決するために、合成演算手段１０５では、間欠的に繰り返し受信する合成復調手段１０４からの相関データを合成して、信頼性の高いデータを得ることにより高感度を実現する。
【００２３】
時刻情報抽出手段１１６内の合成演算手段１０５では、相関データ１１３に含まれる航法メッセージデータによるＧＰＳ時刻とＵＴＣデータとからグリニッジ標準時に相当する時刻に変換する。
【００２４】
ＲＴＣ手段１０６では、内部の基準クロックをカウントしてローカル時刻１１５を生成する。また、合成演算手段１０５からのグリニッジ標準時１１４によりローカル時刻１１５を修正する。この際、グリニッジ標準時１１４とローカル時刻１１５との時差は設定されている。
【００２５】
時刻表示手段１０７は、ローカル時刻１１５を表示する。表示時刻の更新は、例えば毎正秒ごとに行う。図２は、時刻表示手段１０７の例を示した外観図である。時刻表示手段１０７の表示方法は、例えば、図２（ａ）に示すようなデジタル式の時刻表示器でも良いし、図２（ｂ）に示すようなアナログ式の時刻表示器でも良い。また、本発明によるＧＰＳ時計１０１は、置き時計でも掛け時計でも、また腕時計でも良い。更に、本発明によるＧＰＳ時計１０１は、コンピュータ等に内蔵して、コンピュータの画面に時刻を表示しても良い。
制御手段１０８は、全体のステータス及びシーケンスを管理する。
【００２６】
図３は、本発明によるＧＰＳ時計の動作方法の一例を示した工程フロー図である。これより、本発明によるＧＰＳ時計の各工程について、図３を基に説明する。
【００２７】
本発明によるＧＰＳ時計は、位置情報衛星からの時刻情報によりローカル時刻を修正して表示する。位置情報衛星からの時刻情報の取得およびローカル時刻の修正は、初期やユーザーからの時刻調整操作時や所定のタイミングで行う。
【００２８】
基準クロック発生工程３０５では、ＧＰＳ時計の時を刻むための基になるクロック信号を発生する。基準クロック発生工程３０５は、ＲＴＣ手段１０６を用いて行う。
【００２９】
ＲＴＣ工程３０６では、基準クロックをカウントしてローカル時刻を生成する。また、標準時演算工程３０４で得られたグリニッジ標準時により、ローカル時刻を修正する。この際、予め設定されているグリニッジ標準時とローカル時刻との時差が保持されるように修正する。ＲＴＣ工程３０６は、ＲＴＣ手段１０６を用いて行う。
【００３０】
時刻表示工程３０７では、ＲＴＣ工程３０６で得られたローカル時刻を時刻表示手段に表示する。ローカル時刻の表示は、例えば毎正秒ごとに更新するようにすれば良い。
【００３１】
位置情報衛星から時刻に関する情報を得るために、まず合成サーチ工程３０１で、Ｃ／Ａコード及び周波数毎にＣ／Ａコードの位相を変えながら、位置情報衛星をサーチして捕捉する。ある位置情報衛星について複数の周波数や複数のＣ／Ａコードの位相について閾値を越えた場合には、信号強度が最大のものを捕捉結果とした。また、複数の位置情報衛星を捕捉した場合には、信号強度などにより受信する衛星を決定するようにした。サーチ工程３０１は、ＲＦ手段１０３及び合成復調手段１０４を用いて行う。
【００３２】
位置情報衛星が捕捉されると、トラッキング工程３０２でトラッキングを行う。トラッキング工程３０２では、サーチ工程で捕捉した位置情報衛星からの電波の周波数やＣ／Ａコードの位相からトラッキングを開始する。トラッキング工程３０２により、搬送波の位相及びＣ／Ａコードの位相を、それぞれのＰＬＬにより最適な状態に制御する。このトラッキング工程３０２はデータ受信が完了するまで続いている。トラッキング工程３０２は、ＲＦ手段１０３及び合成復調手段１０４を用いて行う。
【００３３】
データ合成受信工程３０３では、時刻に関する航法メッセージデータを受信する。データ合成受信工程３０３は、ＲＦ手段１０３と合成復調手段１０４と合成演算手段１０５を用いて行う。
【００３４】
標準時演算工程３０４では、データ合成受信工程３０３で受信した時刻に関する航法メッセージデータから、グリニッジ標準時を求める。
基準クロック発生工程３０５では、一定周期の基準クロック信号を発生する。
【００３５】
ＲＴＣ工程３０６では、基準クロックを分周してローカル時刻を発生するとともに、標準時演算工程で得た標準時刻により、ローカル時刻を修正する。
時刻表示工程３０７では、ＲＴＣ工程からのローカル時刻を表示する。
【００３６】
図４は、本発明による反射波の一例を示した概略図である。これより、反射波について、図４を基に説明する。
【００３７】
本発明によるＧＰＳ時計は、位置情報衛星からの時刻情報を含む信号を受信するとともに、時刻情報の取得およびローカル時刻を修正して表示する。位置情報衛星からの信号は、本発明によるＧＰＳ時計まで複数の経路から伝わって到達する。
【００３８】
位置情報衛星４０１は、時刻情報を含む信号Ｒａを送信する。ＧＰＳで使用するマイクロ波は、直進性が強く、物体にぶつかると反射をしやすい性質を有する。
【００３９】
山４０２は、位置情報衛星４０１からの時刻情報を含む信号Ｒａを反射し、信号Ｒｂとする。
【００４０】
建物４０３は、位置情報衛星４０１からの時刻情報を含む信号をＲａ反射し、信号Ｒｃとする。
【００４１】
ＧＰＳ時計４０４は、位置情報衛星４０１から送信される時刻情報を含む信号を複数の経路から受信する。信号Ｒａは、位置情報衛星４０１から送信されて反射することなくＧＰＳ時計４０４に直接受信される信号である。信号Ｒｂは、位置情報衛星４０１から送信されて山４０２で反射してＧＰＳ時計４０４に伝わって受信される信号である。信号Ｒｃは、位置情報衛星４０１から送信されて建物４０３で反射してＧＰＳ時計４０４に受信される信号である。
【００４２】
図５は、位置情報衛星４０１からの受信信号の遅延の一例を示したタイミング図で、横軸が時間、縦軸が受信信号レベルを示している。図５では、図４の直接波である信号Ｒａと反射波である信号Ｒｂ、Ｒｃの一例を示した。
【００４３】
位置情報衛星４０１からの信号は、本発明によるＧＰＳ時計まで、複数の経路で伝送される。
【００４４】
図５の受信信号５０１は、図４の信号Ｒａの受信信号レベルと受信タイミングである。受信信号５０１は、図４の位置情報衛星４０１から送信されて、反射することなくＧＰＳ時計４０４に伝わって受信をする直接経路のため、受信信号レベルが大きい。
【００４５】
受信信号５０２は、図４の信号Ｒｂの受信信号レベルと受信タイミングである。受信信号５０２は、図４の位置情報衛星４０１から送信されて山４０２で反射してＧＰＳ時計４０４に伝わって受信をする反射経路のため受信信号５０１よりも受信信号レベルが小さい。
【００４６】
受信信号５０３は、図４の信号Ｒｃの受信信号レベルと受信タイミングである。受信信号５０３は、図４の位置情報衛星４０１から送信されて建物４０３で反射してGPS時計４０４に伝わって受信をする反射経路のため受信信号５０１よりも受信信号レベルが小さい。
【００４７】
受信信号５０１は、図４の位置情報衛星４０１から送信されて反射することなくＧＰＳ時計４０４に伝わって受信をする直接経路のため最初に受信される信号で、遅延無く時刻Ｔ１で受信される。
【００４８】
受信信号５０２は、図４の位置情報衛星４０１から送信され、山４０２で反射してＧＰＳ時計４０４に伝わって受信をする反射経路のため、受信される時間は、受信信号５０１の受信時間Ｔ１からΔｔ１遅延した時刻Ｔ２となる。
【００４９】
受信信号５０３は、図４の位置情報衛星４０１から送信され、建物４０３で反射してＧＰＳ時計４０４に伝わって受信をする反射経路のため、受信される時間は、受信信号５０１の受信時間Ｔ１からΔｔ２遅延した時刻Ｔ３となる。
受信信号５０２の受信時間Ｔ２と受信信号５０３の受信時間Ｔ３の時間差をΔｔ３とする。  これより本発明の特徴である合成復調手段１０４について、図面を基に詳細に説明する。
【００５０】
図６は、本発明による電波時計の詳細を示したブロック図である。これより、合成復調手段１０４について、図６を基に説明する。図６は、図４の直接波の信号Ｒａと反射波の信号Ｒｂ、Ｒｃの３つの信号を受信する例を基に示したものである。
【００５１】
図６において、アンテナ１０２は、位置情報衛星からのギガヘルツ帯の電波を高周波信号１１１に変換し、ＲＦ手段１０３に出力する。
【００５２】
ＲＦ手段１０３は、アンテナ１０２からの高周波信号１１１を合成復調手段１０４で処理しやすい低周波信号１１２にダウンコンバージョンする。
【００５３】
第１逆拡散回路手段６０２では、ＲＦ手段１０３からの信号を逆拡散して図５の時刻Ｔ１の受信信号５０１を取り出し６１１へ出力する。
【００５４】
第２逆拡散回路手段６０３では、ＲＦ手段１０３からの信号を逆拡散して時刻Ｔ１からΔｔ１遅延した時刻Ｔ２の受信信号５０２を取り出し６１１へ出力する。
【００５５】
第３逆拡散回路手段６０４では、ＲＦ手段１０３からの信号を逆拡散して時刻Ｔ１からΔｔ２遅延した時刻Ｔ３の受信信号５０３を取り出し６１１へ出力する。
【００５６】
なお、図６では、位置情報衛星からの各信号の取り出しを、逆拡散回路１手段６０２と逆拡散回路２手段６０３と逆拡散回路３手段６０４で行ったが、位置情報衛星からの通信信号の方式に対応した別の方法で各信号を取り出してもよい。
【００５７】
遅延手段６０５では、逆拡散回路１手段６０２からの信号をΔｔ２遅延して６１２へ出力し、逆拡散回路２手段６０３からの信号をΔｔ３遅延して６１２へ出力し、逆拡散回路３手段６０４からの信号を遅延することなく、信号６１２として出力する。
【００５８】
合成手段６０６では、遅延手段６０５からの信号６１２を合成し、信号６１３として出力する。
【００５９】
図７は本発明による受信信号の合成の一例を示した概念図である。
図７（ａ）は、逆拡散回路１手段６０２で取り出される、位置情報衛星４０１から送信されて反射することなくＧＰＳ時計４０４で受信される受信信号５０１、図７（ｂ）は、逆拡散回路２手段６０３で取り出される、位置情報衛星４０１から送信されて山で反射してＧＰＳ時計４０４に伝わって受信される受信信号５０２、図７（ｃ）は、位置情報衛星４０１から送信されて建物で反射してＧＰＳ時計４０４に伝わって受信される受信信号５０３を示す。
【００６０】
受信信号５０１は、遅延手段６０５でΔｔ２時間だけ遅延されて出力される。受信信号５０２は、遅延手段６０５でΔｔ３時間だけ遅延されて出力される。また受信信号５０３は、遅延手段６０５では遅延されずに出力される。
【００６１】
合成回路６０６では、遅延手段６０５から出力された各受信信号である信号６１２を合成して、図７（ｄ）に示す合成信号７０１を得る。合成信号７０１は、受信信号５０１、５０２、５０３を合成した信号であり、受信された各受信信号よりも高い受信信号レベルとなり、より高感度で時刻情報を得ることが可能となる。  復調手段６０７では、ＲＦ手段１０３からの低周波信号１１２を復調する。このため、復調手段６０７では、搬送波レプリカを用いて搬送波を除去し、相関器によりＣＡ符号を除去して、信号の強さを示す相関強度及びＧＰＳ航法メッセージデータを含む相関データを得る。
【００６２】
復調手段６０７が出力する相関データ１１３は、１０２３チップの相関により得られる多値の値のため、信号の他にノイズが混ざったものである。ノイズに比して信号が弱い場合には、単に相関が正か負かで受信ビットの値を決定すると、データの信頼性が低くなってしまう。この課題を解決するために、合成演算手段１０５では、間欠的に繰り返し受信する復調手段６０７からの相関データを合成して、信頼性の高いデータを得ることにより高感度を実現する。
【００６３】
また、合成演算手段１０５では、相関データに含まれる航法メッセージデータによるＧＰＳ時刻とＵＴＣデータとからグリニッジ標準時に相当する時刻に変換する。
【００６４】
ＲＴＣ手段１０６では、内部の基準クロックをカウントしてローカル時刻１１５を生成する。また、合成演算手段１０５からのグリニッジ標準時１１４によりローカル時刻１１５を修正する。この際、グリニッジ標準時１１４とローカル時刻１１５との時差は設定されている。
【００６５】
時刻表示手段１０７は、ローカル時刻１１５を表示する。表示時刻の更新は、例えば毎正秒ごとに行う。
制御手段１０８は、全体のステータス及びシーケンスを管理する。
【００６６】
以上、本実施例においては、直接波と２つの反射波を受信する構成で説明したが、それ以外に、直接波と１つの反射波、または直接波と３つ以上の反射波を受信して、合成する構成としてもよい。
【００６７】
また、本実施例はＧＰＳを利用した構成で説明したが、位置情報衛星を使用する同様のシステムであればＧＰＳに限定されることはない。
【００６８】
また、本発明によるＧＰＳ時計が、置き時計、掛け時計、もしくは腕時計でも良く、更にコンピュータ等に内蔵してコンピュータの画面に時刻を表示してもよいことは既に述べたが、時計機能、時刻情報を必要とする各種機器やコンピュータネットワーク内に時計として組み込むことも可能である。その場合、時刻情報を外部に表示してもよいが、外部に表示せず時刻データとして内部の処理のためにのみ使用してもよい。
以上に説明した実施の形態により、次のような効果を得ることができる。
【００６９】
本発明によるＧＰＳ時計では、位置情報衛星からの電波が微弱な場合でも、高感度でサーチ及びトラッキング及びデータ受信ができるため、例えば屋内の窓から離れた場所でも安定して航法メッセージデータに含まれる時刻情報を受信して、常に正確な時刻を表示することができる。
【符号の説明】
【００７０】
１０２  アンテナ
１０３  ＲＦ手段
１０４  合成復調手段
１０５  合成演算手段
１０６  ＲＴＣ手段
１０７  時刻表示手段
１０８  制御手段
１１６  時刻情報抽出手段
６０２  第１逆拡散回路手段
６０３  第２逆拡散回路手段
６０４  第３逆拡散回路手段
６０５  遅延手段
６０６  合成手段
６０７  復調手段
【図１】
2011226867.tif 000003
【図２】
2011226867.tif 000004
【図３】
2011226867.tif 000005
【図４】
2011226867.tif 000006
【図５】
2011226867.tif 000007
【図６】
2011226867.tif 000008
【図７】
2011226867.tif 000009
【図８】
2011226867.tif 000010